(57)【要約】【課題】設計自由度が高く、製造コストが低い表示装置を提供する。【解決手段】表示装置１は、複数の無機ＥＬ表示素子１０と、無機ＥＬ表示素子１０に駆動電圧を印加する電極ライン１１と、電極ライン１１に駆動電圧を供給する複数の駆動用ＩＣ１３と、複数の駆動用ＩＣ１３に電気的に接続されており、駆動電圧を生成させる電源回路１５とを有し、複数の駆動用ＩＣ１３のそれぞれは電極ライン１１に電気的に接続されている接続電極端子１８ａと、電極ライン１１に電気的に接続されていない非接続電極端子１８ｂとを備えており、複数の駆動用ＩＣ１３のそれぞれの最大消費電力が略同一である。【選択図】図１
2006259587.tif 000002
【特許請求の範囲】
【請求項１】
複数の表示素子と、
前記複数の表示素子のそれぞれに駆動電圧を印加する電極ラインと、
前記電極ラインに前記駆動電圧を供給する複数の駆動用回路と、
前記複数の駆動用回路に電気的に接続されており、前記駆動電圧を生成させる電源回路とを有し、
前記複数の駆動用回路のそれぞれは前記電極ラインに電気的に接続されている接続電極端子と、前記電極ラインに電気的に接続されていない非接続電極端子とを備えている表示装置であって、
前記複数の駆動用回路のそれぞれの最大消費電力が略同一である表示装置。
【請求項２】
請求項１に記載された表示装置において、
前記複数の駆動用回路のそれぞれは略同数の前記接続電極端子を備えている表示装置。
【請求項３】
請求項１に記載された表示装置において、
前記駆動用回路は前記電極ラインに変調電圧を印加する表示装置。
【請求項４】
請求項１に記載された表示装置において、
前記表示素子は無機エレクトロルミネッセンス表示素子又はプラズマ表示素子である表示装置。
【発明の詳細な説明】
【技術分野】
【０００１】
本発明は表示装置に関する。
【背景技術】
【０００２】
図１０は従来の無機エレクトロルミネッセンス表示装置（以下、「無機ＥＬ表示装置」とすることがある。）１００の構成を示す模式図である。
【０００３】
無機ＥＬ表示装置１００は、外部から入力される入力信号に応じて各部の動作タイミングを制御する駆動制御回路１１７と、駆動電圧を生成させる変調駆動電源回路１１５と、変調駆動電源回路１１５と駆動制御回路１１７とに電気的に接続された複数のカラム側駆動用集積回路（以下、「集積回路」のことを「ＩＣ」とすることがある。）１１３と、パルス状の書き込み電圧を生成させる書き込み駆動電源回路１１６と、書き込み駆動電源回路１１６と駆動制御回路１１７とに電気的に接続された複数の走査側駆動用ＩＣ１１４とを有する。カラム側駆動用ＩＣ１１３及び走査側駆動用ＩＣ１１４は複数の電極端子１１８を有する。カラム側駆動用ＩＣ１１３の電極端子１１８の一部はカラム側電極ライン１１１に電気的に接続されている。走査側駆動用ＩＣ１１４の電極端子１１８の一部は走査側電極ライン１１２に電気的に接続されている。カラム側電極ライン１１１と走査側電極ライン１１２との交差部のそれぞれには、無機エレクトロルミネッセンス表示素子（以下、「無機ＥＬ表示素子」とすることがある。）１１０が形成されている。
【０００４】
近年、無機ＥＬ表示装置１００の製造コストを低減させるため、カラム側駆動用ＩＣ１１３及び走査側駆動用ＩＣ１１４に既製のＩＣが用いられることが多くなってきている。既製のＩＣが有する電極端子の本数は決まっているため、駆動用ＩＣ１１３、１１４として既製のＩＣを用いた場合、駆動用ＩＣ１１３、１１４に接続させたい電極ライン１１１、１１２の本数が駆動用ＩＣ１１３、１１４の有する電極端子１１８の本数の整数倍にならないという事態が生じ得る。換言すれば、電極ライン１１１、１１２に接続されない非接続電極端子１１８ｂが存在するという事態が生じ得る。例えば、カラム側電極ライン１１１の本数が６４０本の無機ＥＬ表示装置１００を、電極端子数が１９２本のカラム側駆動用ＩＣ１１３を用いて駆動させるためには、４個のカラム側駆動用ＩＣ１１３が必要となる。４個のカラム側駆動用ＩＣ１１３を用いた場合、電極端子数の総合計が７６８本となり、１２８本の非接続電極端子１１８ｂが生じる。
【０００５】
従来、図１０に示すように、非接続電極端子１１８ｂは一端（一般的には右端）に設けられたカラム側駆動用ＩＣ１１３にかためて設けられ、一端に設けられたカラム側駆動用ＩＣ１１３ｃ以外のカラム側駆動用ＩＣ１１３ａ、１１３ｂ等はカラム側電極ライン１１１に電気的に接続されている接続電極端子１１８ａのみを有するように構成されている。一般的に、表示画面の一端側の表示データから他端側の表示データへと連続して入力されるため、このように構成することによって、表示データに特別な加工を施すことが不要となり、無機ＥＬ表示装置１００の制御が容易になるためである。しかしながら、この構成では、電極端子１１８から電極ライン１１１への電極取り出し角が浅くなる等の諸問題が発生する。
【０００６】
これら諸問題を解決する技術が、例えば特許文献１〜３に開示されている。特許文献１には、非接続電極端子（ＴＣＰの接続余り）を両端に配設された駆動用ＩＣに割り振る技術が開示されている。また、特許文献２及び３には非接続電極端子を少なくする技術が開示されている。
【特許文献１】特開平６−１３８４７２号公報
【特許文献２】特開平８−３２８５１３号公報
【特許文献３】特開２００２−２０７４５２号公報
【発明の開示】
【発明が解決しようとする課題】
【０００７】
特許文献１に記載された表示装置によれば、ＴＣＰの接続余りが右端のＴＣＰに集中しないので、斜め配線の角度、長さがばらつき、かつ、斜め配線の角度が小さくなるのを抑制することができる。また、配線の設計が容易となり、斜め配線の抵抗の増大やばらつき、斜め配線どうしの短絡不良の発生を抑制することができる。かつ、コンパクト設計に対して有利であり、表示部の配線とＴＣＰとの高密度接続を可能にすることができると記載されている。しかしながら、特許文献１に記載された表示装置には、ＴＣＰごとの最大消費電力のばらつきが大きいという問題がある。具体的には、接続余りを有する、両端に設けられたＴＣＰよりも、接続余りを有さない、中央部に設けられたＴＣＰの方が最大消費電力が大きくなる。このため、中央部に設けられた接続余り（非接続電極端子）を有さないＴＣＰの最大消費電力がＴＣＰの定格電力を超える虞があるという問題がある。このため、特許文献１に記載された表示装置では、使用できるＴＣＰに制限があり、設計自由度が低いという問題がある。場合によっては、専用のＴＣＰを設計・製造する必要が生じるため、製造コストが高いという問題もある。
【０００８】
特許文献２及び３に記載された表示装置も非接続電極端子を有することには変わりはなく、一般的に非接続電極端子は一部の駆動用ＩＣ（例えば、端に設けられた駆動用ＩＣ）にかためて設けられているため、特許文献１に記載された表示装置と同様に上記問題を有する。
【０００９】
本発明は、係る点に鑑みてなされたものであり、その目的とするところは、設計自由度が高く、安価に製造することができる表示装置を実現することにある。
【課題を解決するための手段】
【００１０】
本発明に係る表示装置は、複数の表示素子と、複数の表示素子のそれぞれに駆動電圧を印加する電極ラインと、電極ラインに駆動電圧を供給する複数の駆動用回路と、複数の駆動用回路に電気的に接続されており、駆動電圧を生成させる電源回路とを有する。複数の駆動用回路のそれぞれは電極ラインに電気的に接続されている接続電極端子と、電極ラインに電気的に接続されていない非接続電極端子とを備えている。本発明に係る表示装置では、複数の駆動用回路のそれぞれの最大消費電力が略同一である。
【００１１】
このため、本発明に係る表示装置によれば、最も最大消費電力が大きい駆動用回路の最大消費電力を低減することができる。このため、駆動用回路の最大消費電力が駆動用回路の定格電力を超えることを抑制することができるため、駆動用回路の選択の余地を広げることができる。従って、設計自由度が高く、安価な表示装置を実現することができる。
【００１２】
本発明に係る表示装置では、複数の駆動用回路のそれぞれが略同数の接続電極端子を備えていてもよい。このように構成することによって、複数の駆動用回路のそれぞれの最大消費電力を略同一にすることができる。尚、上述のように、制御容易性の観点から原則として非接続電極端子は一端に設けられた駆動用回路（又は両端に設けられた駆動回路）にかためて設けられる。また、上記駆動用回路の最大消費電力と定格電力との問題は、本発明者が誠意研究した結果、初めて見出されたものである。このため、非接続電極端子を複数の駆動用回路のそれぞれに略同一に割り振ることは、所謂当業者が容易に設計し得ることではない。
【００１３】
本発明に係る表示装置では、駆動用回路が電極ラインに変調電圧を印加するものであってもよい。
【００１４】
本発明に係る表示装置では、表示素子が無機エレクトロルミネッセンス表示素子又はプラズマ表示素子であってもよい。言い換えれば、本発明に係る表示装置は無機エレクトロルミネッセンス表示装置又はプラズマ表示装置であってもよい。
【発明の効果】
【００１５】
以上説明したように、本発明によれば、設計自由度を高くすることができ、製造コストを低減することができる。
【発明を実施するための最良の形態】
【００１６】
以下、本発明の実施形態について、図面を参照しながら詳細に説明する。
【００１７】
図１は実施形態に係る無機ＥＬ表示装置１の構成を表す模式図である。
【００１８】
図２は無機ＥＬ表示素子１０の構成を表す断面図である。
【００１９】
無機ＥＬ表示装置１は、相互に並行に延びる複数のカラム側電極ライン１１と、カラム側電極ライン１１の延びる方向に角度をなして（一般的には、直交して）相互に並行に延びる複数の走査側電極ライン１２と、カラム側電極ライン１１と走査側電極ライン１２との交差部のそれぞれに形成された無機ＥＬ表示素子１０とを有する。無機ＥＬ表示素子１０はマトリクス状に配設されている。
【００２０】
図２に示すように、無機ＥＬ表示素子１０は、カラム側電極ライン１１と、走査側電極ライン１２と、カラム側電極ライン１１及び走査側電極ライン１２により狭持された積層とにより形成されている。該積層は、カラム側電極ライン１１の上に設けられた第１誘電層１０ａと、第１誘電層１０ａの上に設けられた無機ＥＬ発光層１０ｂと、無機ＥＬ発光層１０ｂと走査側電極ライン１２との間に設けられた第２誘電層１０ｃとにより構成されている。
【００２１】
図１に示すように、カラム側電極ライン１１はカラム側駆動用ＩＣ（カラム側駆動回路）１３に電気的に接続されている。カラム側駆動用ＩＣ１３は変調駆動電源回路１５及び駆動制御回路１７に電気的に接続されている。一方、走査側電極ライン１２は走査側駆動用ＩＣ（走査側駆動回路）１４に電気的に接続されている。走査側駆動用ＩＣ１４は書き込み駆動電源回路１６及び駆動制御回路１７に電気的に接続されている。変調駆動電源回路１５及び駆動電源回路１６は、それぞれ電源（例えば、１２Ｖの電源）に接続されている。カラム側駆動用ＩＣ１３及び走査側駆動用ＩＣ１４はそれぞれ複数の電極端子１８を有しており、カラム側電極ライン１１及び走査側電極ライン１２はそれぞれ駆動用ＩＣ１３、１４が有する電極端子１８に接続されている。
【００２２】
無機ＥＬ表示装置１では、複数のカラム側駆動用ＩＣ１３が有する電極端子１８の総数がカラム側電極ライン１１の総数より多い。このため、複数設けられたカラム側駆動用ＩＣ１３のそれぞれは、カラム側電極ライン１１に接続された接続電極端子１８ａと、カラム側電極ライン１１に接続されていない非接続電極端子１８ｂとを有する。同様に、複数の走査側駆動用ＩＣ１４が有する電極端子１８の総数が走査側電極ライン１２の総数より多い。このため、複数設けられた走査側駆動用ＩＣ１４のそれぞれは、走査側電極ライン１２に接続された接続電極端子１８ａと、走査側電極ライン１２に接続されていない非接続電極端子１８ｂとを有する。
【００２３】
駆動制御回路１７は、外部より入力される入力信号に応じ、無機ＥＬ表示装置１の各部の動作タイミングを制御する。駆動制御回路１７は、例えば、カラム側駆動用ＩＣ１３及び走査側駆動用ＩＣ１４に制御信号を入力する。また、駆動用制御回路１７はカラム側駆動用ＩＣ１３に表示データ信号を入力する。変調駆動電源回路１５は、電源から供給された（例えば、１２Ｖの）電圧を昇圧させてパルス状の変調電圧を生成させる。書き込み駆動電源回路１６は、電源から供給された（例えば、１２Ｖの）電圧を昇圧させてパルス状の書き込み電圧を生成させる。カラム側駆動用ＩＣ１３は、駆動制御回路１７から入力された制御信号及び表示データ信号に応じて、変調駆動電源回路１５から入力された変調電圧を、カラム側電極ライン１１を介して、無機ＥＬ表示素子１０に印加する。一方、走査側駆動用ＩＣ１４は、駆動制御回路１７から入力された制御信号に応じて、書き込み駆動電源回路１６から入力されたパルス状の書き込み電圧を、走査側電極ライン１２を介して、無機ＥＬ表示素子１０に印加する。
【００２４】
図３はカラム側駆動用ＩＣ１３の一部分の回路構成を表す模式図である。
【００２５】
カラム側駆動用ＩＣ１３は、カラム制御部１３ａと、カラム制御部１３ａに電気的に接続されたカラム側ドライバ１３ｂとを含む。カラム制御部１３ａはその一端が駆動制御回路１７に電気的に接続されている。駆動制御回路１７からカラム側駆動用ＩＣ１３に入力された制御信号及び表示データ信号は、カラム制御部１３ａを経由してカラム側ドライバ１３ｂに入力される。カラム側ドライバ１３ｂは、スイッチング素子としての２個の電界効果トランジスタ（以下、「ＦＥＴ」とすることがある。）１３ｃ及び１３ｄを備えている。ＦＥＴ１３ｃ、１３ｄの一端はそれぞれカラム側電極ライン１１に接続されている。ＦＥＴ１３ｃは一端が変調駆動電源回路１５に電気的に接続されており、変調駆動電源回路１５から駆動電圧の供給を受ける。一方、ＦＥＴ１３ｄの一端はグランド（ＧＮＤ）に電気的に接続されている。
【００２６】
制御信号及び表示データ信号が駆動制御回路１７からカラム側ドライバ１３ｂに入力されると、それら信号に基づいてＦＥＴ１３ｃ及び１３ｄのオン／オフが切り替えられる仕組みとなっている。例えば、制御信号及び表示データ信号により、ＦＥＴ１３ｃがオンされ、ＦＥＴ１３ｄがオフされた場合は、ＦＥＴ１３に接続されたカラム側電極ライン１１は変調駆動電源回路１５に接続され、変調電圧がカラム側電極ライン１１を介して無機ＥＬ表示素子１０に印加される。一方、ＦＥＴ１３ｃがオフされ、ＦＥＴ１３ｄがオンされた場合は、カラム側電極ライン１１を介して無機ＥＬ表示素子１０がグランドに接続される。
【００２７】
図４は無機ＥＬ表示素子１０の輝度と印加電圧との相関を示すグラフである。
【００２８】
図５は無機ＥＬ表示素子１０に印加される電圧と、無機ＥＬ表示素子１０の発光／非発光との関係を示した図である。尚、図５に示す電圧値は一例であって、本発明は何ら図５に限定されるものではない。
【００２９】
以下、図４及び図５を参照しながら、無機ＥＬ表示素子１０の発光／非発光の制御方法の一例について詳細に説明する。
【００３０】
図４に示すように、無機ＥＬ表示素子１０は閾値電圧（スレッシュ電圧：Ｖth）を閾として発光を開始する。無機ＥＬ表示素子１０に印加する電圧が閾値電圧から大きくなるに従って無機ＥＬ表示素子１０の発光輝度も増大する。無機ＥＬ表示素子１０に印加される電圧が所定の電圧（Ｖth＋ＶM）以上の電圧範囲では無機ＥＬ表示素子１０の発光強度は電圧に関わらずほぼ一定となる。このような無機ＥＬ発光素子１０の特性を生かして無機ＥＬ表示素子１０が制御される。
【００３１】
図５に示すように、無機ＥＬ表示素子１０には、走査側電極ライン１２から２２０Ｖ（Ｖth＋ＶM）又は−１６０Ｖ（｜−１６０Ｖ｜＜｜−Ｖth｜）が印加される。一方、カラム側電極ライン１１からは０Ｖ（グランド）又は６０Ｖが印加される。図５の（ａ）に示す場合のように、走査側電極ライン１２から２２０Ｖが印加され、カラム側電極ライン１１がグランドに接地されている場合（０Ｖが印加される場合）は、無機ＥＬ表示素子１０には、閾値電圧以上の２２０Ｖが印加される。このため、無機ＥＬ表示素子１０は発光する。図５（ｂ）に示す場合のように、走査側電極ライン１２からは−１６０Ｖが印加され、カラム側電極ライン１１からは６０Ｖが印加される場合は、無機ＥＬ表示素子１０には、閾値電圧以上の２２０Ｖが印加される。このため、図５（ｂ）に示す場合においても図５（ａ）に示す場合と同様に、無機ＥＬ表示素子１０は発光する。
【００３２】
図５（ｃ）に示す場合のように、走査側電極ライン１２から２２０Ｖが印加され、カラム側電極ライン１１から６０Ｖが印加される場合は、無機ＥＬ表示素子１０には合計１６０Ｖが印加される。この場合、図４に示すように、無機ＥＬ表示素子１０に印加される電圧（１６０Ｖ）は閾値電圧（Ｖth）以下であるため、無機ＥＬ表示素子１０は発光しない。図５（ｄ）に示す場合のように、走査側電極ライン１２から−１６０Ｖが印加され、カラム側電極ライン１１がグランドに接地されている場合（０Ｖが印加される場合）は、無機ＥＬ表示素子１０には合計１６０Ｖが印加される。この場合、図４に示すように、無機ＥＬ表示素子１０に印加される電圧（１６０Ｖ）は閾値電圧（Ｖth）以下であるため、無機ＥＬ表示素子１０は発光しない。
【００３３】
このような、図５（ａ）〜（ｄ）のパターンを組み合わせることによって無機ＥＬ表示素子１０の発光／非発光を制御することができる。
【００３４】
無機ＥＬ表示装置１では、複数のカラム側駆動用ＩＣ１３のそれぞれの最大消費電力が略同一となるように構成されている。このため、無機ＥＬ表示装置１では、最も最大消費電力が大きいカラム側駆動用ＩＣ１３の最大消費電力を比較的小さくすることができる。このため、カラム側駆動用ＩＣ１３の最大消費電力がカラム側駆動用ＩＣ１３の定格電力を超えることを抑制することができる。よって、カラム側駆動用ＩＣ１３の選択の余地を広げることができる。従って、本実施形態に係る無機ＥＬ表示装置１は設計自由度が高く、安価である。例えば、カラム側駆動用ＩＣ１３を比較的定格電力の小さな汎用ＩＣにより構成することも可能となる。
【００３５】
複数のカラム側駆動用ＩＣ１３のそれぞれの最大消費電力を略同一に構成するために、無機ＥＬ表示装置１では、複数のカラム側駆動用ＩＣ１３のそれぞれは略同数の接続電極端子１８ａを有するように構成されている。例えば、カラム側電極ライン１１の本数が６４０本でカラム側駆動用ＩＣ１３が有する電極端子１８の数が１９２本の場合は、カラム側駆動用ＩＣ１３のそれぞれが１６０本の接続電極端子１８ａ及び３２本の非接続電極端子１８ｂを有するように構成することができる。また、例えば、カラム側電極ライン１１の本数が１１２０本でカラム側駆動用ＩＣ１３が有する電極端子１８の数が１９２本の場合は、２つのカラム側駆動用ＩＣ１３はそれぞれ１８６本の接続電極端子１８ａ及び６本の非接続電極端子１８ｂを有し、４つのカラム側駆動用ＩＣ１３はそれぞれ１８７本の接続電極端子１８ａ及び５本の非接続電極端子１８ｂを有するように構成することができる。
【００３６】
走査側駆動用ＩＣ１４についても、カラム側駆動用ＩＣ１３と同様に、複数の走査側駆動用ＩＣ１４のそれぞれは略同数の接続電極端子１８ａを有するように構成されており、複数の走査側駆動用ＩＣ１４のそれぞれの最大消費電力が略同一となるように構成されている。このため、走査側駆動用ＩＣ１４の最大消費電力が走査側駆動用ＩＣ１４の定格電力を超えることを抑制することができる。よって、走査側駆動用ＩＣ１４の選択の余地を広げることができる。従って、本実施形態に係る無機ＥＬ表示装置１は設計自由度が高く、安価である。例えば、走査側駆動用ＩＣ１４を比較的定格電力の小さな汎用ＩＣにより構成することも可能となる。
【００３７】
以上、本実施形態では無機ＥＬ表示装置１を例として本発明を説明したが、本発明は何らこれに限定されるものではなく、プラズマ表示装置、有機ＥＬ表示装置、フィールドエミッション表示装置等の表示装置にも適用することができる。そのなかでも、本実施形態で説明した無機ＥＬ表示装置及びプラズマ表示装置では、電極ラインごとの電力が大きいため、本発明が特に好適に適用される。
【実施例】
【００３８】
上記実施形態において説明した無機ＥＬ表示装置１を実施例とした。実施例１において、カラム側電極ライン１１の本数は６４０本である。また、カラム側駆動用ＩＣ１３の電極端子１８の数は１９２本である。実施例１では、カラム側駆動用ＩＣ１３のそれぞれが１６０本の接続電極端子１８ａ及び３２本の非接続電極端子１８ｂを有する。
【００３９】
まず、カラム側駆動用ＩＣ１３の最大消費電力の一般式について図６を参照しながら詳細に説明する。
【００４０】
図６は本実施例に係る無機ＥＬ表示装置１を表した模式図である。
【００４１】
カラム側駆動用ＩＣ１３における消費電力は概ねＦＥＴ１３ｃ及び１３ｄの抵抗値での消費と考えることができる。このため、無機ＥＬ表示素子１０の容量Ｃと、カラム側駆動用ＩＣ１３の（詳しくはＦＥＴ１３ｃ及び１３ｄの）抵抗ＲとのＣＲ直列回路と等価と考えることができる。従って、一般的に、カラム側駆動用ＩＣ１３での消費電力ＷR及び無機ＥＬ表示素子１０での消費電力ＷCは下記数式１及び２で表される。
【００４２】
【数１】
2006259587.tif 000003
【００４３】
【数２】
2006259587.tif 000004
【００４４】
このように、容量Ｃと抵抗ＲとのＣＲ直列回路と等価であると考えると、無機ＥＬ表示装置１は図７に表す等価回路で表すことができる。また、図７に表す等価回路は図８に示すように簡略化することができ、さらに図８に示す等価回路は図９のように簡略化することができる。ここで、変調電圧ＶMを印加する無機ＥＬ表示素子１０の容量（Ｃ1〜Ｃx）の総和にｙを乗じた値をＣａとし、グランドに接続された無機ＥＬ表示素子１０の容量（Ｃx+1〜Ｃn）の総和にｙを乗じた値をＣｂとすると、Ｃａ及びＣｂはそれぞれ下記数式３及び数式４により表される（図８参照）。Ｃは無機ＥＬ表示素子１０のひとつあたりの容量である。図６に示すように、ｎはカラム側電極ライン１１の総本数であり、ｘは無機ＥＬ表示素子１０に変調電圧ＶMを印加するカラム側電極ライン１１の本数である。ｙは走査側電極ライン１２の本数である。
【００４５】
【数３】
2006259587.tif 000005
【００４６】
【数４】
2006259587.tif 000006
【００４７】
変調電圧ＶMとグランドの間に存在する見かけ上の静電容量をＣｃとすると、Ｃｃ、Ｃａ、及びＣｂは下記数式５の関係を有する（図９参照）。このため、数式３〜５より、ＣｃはＣａ及びＣｂを用いて下記数式６によって表される。
【００４８】
【数５】
2006259587.tif 000007
【００４９】
【数６】
2006259587.tif 000008
【００５０】
無機ＥＬ表示素子１０に変調電圧ＶMを印加するＦＥＴ１３ｃの内部抵抗の総和Ｒ1、及び無機ＥＬ表示素子１０をグランドにクランプするＦＥＴ１３ｄの内部抵抗の総和Ｒ2は、カラム側駆動用ＩＣ１３に含まれるＦＥＴ１３のＯＮ抵抗の総和をＲとすると、それぞれ下記数式７及び数式８によって表される。
【００５１】
【数７】
2006259587.tif 000009
【００５２】
【数８】
2006259587.tif 000010
【００５３】
数式１及び６〜８より、抵抗Ｒ1における消費電力（変調電圧ＶMを印加するＦＥＴ１３ａの消費電力の総和）ＷR1、及び抵抗Ｒ2における消費電力（無機ＥＬ表示素子１０をグランドにクランプするＦＥＴ１３ａの消費電力の総和）ＷR2はそれぞれ下記数式９及び数式１０により表される。
【００５４】
【数９】
2006259587.tif 000011
【００５５】
【数１０】
2006259587.tif 000012
【００５６】
消費電力ＷR1が最大となるのは数式９を微分して得られる下記数式１１が０である場合（ＷR1’＝０の場合）である。すなわち、ｘが（１／３）ｎのときＷR1は最大となる。従って、ＷR1の最大値ＷR1MAXは下記数式１２により表される。ここで、カラム側駆動用ＩＣ１３の１個あたりの電極端子１８の数をｍとすると、カラム側電極ライン１１の総本数ｎが３ｍ以上である場合は、カラム側駆動用ＩＣ１３に接続されたカラム側電極ライン１１のすべてに変調電圧ＶMが印加され、他のカラム側電極ライン１１のすべてがグランドにクランプされているときにＷR1は最大値ＷR1MAXをとる。一方、カラム側電極ライン１１の総本数ｎが３ｍ以下である場合は、カラム側駆動用ＩＣ１３に接続されたカラム側電極ライン１１の１／３に変調電圧ＶMが印加され、他のカラム側電極ライン１１がグランドにクランプされているときにＷR1は最大値ＷR1MAXをとる。
【００５７】
【数１１】
2006259587.tif 000013
【００５８】
【数１２】
2006259587.tif 000014
【００５９】
本実施例の場合、カラム側電極ライン１１の本数は６４０本であり、カラム側駆動用ＩＣ１３の有する電極端子１８の数は１９２本である。このため、カラム側電極ライン１１の本数ｎ（６４０）はカラム側駆動用ＩＣ１３の有する電極端子１８の数（１９２）に３を乗じた値（５７６）よりも大きい（６４０＞１９２×３）。従って、本実施例においては、カラム側駆動用ＩＣ１３の最大消費電力ＷRMAXはひとつのカラム側駆動用ＩＣ１３に接続されたカラム側電極ライン１１のすべてに変調電圧ＶMが印加され、他のカラム側電極ライン１１のすべてがグランドにクランプされているときのカラム側駆動用ＩＣ１３の消費電力となる。すなわち、本実施例におけるカラム側駆動用ＩＣ１３の最大消費電力ＷRMAXは下記数式１３により表され、５４００ｙＣＶ2（４５ＣCＶ2）となった。
【００６０】
【数１３】
2006259587.tif 000015
【００６１】
（比較例）下記相違点を除いて、上記実施例と同様の構成の無機ＥＬ表示装置を比較例とした。すなわち、比較例に係る無機ＥＬ表示装置が実施例に係る無機ＥＬ表示装置１と異なる点は、端部に設けられたひとつのカラム側駆動用ＩＣ１３のみが６４本のカラム側電極ライン１１に接続され、残りのカラム側駆動用ＩＣ１３はすべての電極端子１８がカラム側電極ライン１１に接続されている（すなわち、１９２本のカラム側電極ライン１１に接続されている）点である。比較例においても、上記実施例と同様に、カラム側駆動用ＩＣ１３の最大消費電力ＷRMAXはひとつのカラム側駆動用ＩＣ１３に接続されたカラム側電極ライン１１のすべてに変調電圧ＶMが印加され、他のカラム側電極ライン１１のすべてがグランドにクランプされているときのカラム側駆動用ＩＣ１３の消費電力となる。すなわち、本実施例におけるカラム側駆動用ＩＣ１３の最大消費電力ＷRMAXは下記数式１４により表され、６３２６．５２ｙＣＶ2（４７．０５ＣCＶ2）となった。
【００６２】
【数１４】
2006259587.tif 000016
【００６３】
上述の通り、実施例ではカラム側駆動用ＩＣ１３の最大消費電力ＷRMAXが５４００ｙＣＶ2（４５ＣCＶ2）となり、比較例（最大消費電力ＷRMAX；６３２６．５２ｙＣＶ2（４７．０５ＣCＶ2））よりも最大消費電力ＷRMAXを約１５％小さくすることができた。以上より、本発明によればカラム側駆動用ＩＣの最大消費電力を低減することができることがわかった。
【図面の簡単な説明】
【００６４】
【図１】実施形態に係る無機ＥＬ表示装置１の構成を表す模式図である。
【図２】無機ＥＬ表示素子１０の構成を表す断面図である。
【図３】カラム側駆動用ＩＣ１３の一部分の回路構成を表す模式図である。
【図４】無機ＥＬ表示素子１０の輝度と印加電圧との相関を示すグラフである。
【図５】無機ＥＬ表示素子１０に印加される電圧と、無機ＥＬ表示素子１０の発光／非発光との関係を示した図である。
【図６】本実施例に係る無機ＥＬ表示装置１を表した模式図である。
【図７】無機ＥＬ表示装置１の等価回路図である。
【図８】図７に示す等価回路を簡略化した回路図である。
【図９】図８に示す等価回路を簡略化した回路図である。
【図１０】従来の無機ＥＬ表示装置１００の構成を示す模式図である。
【符号の説明】
【００６５】
１、１００      無機ＥＬ表示装置
１０      無機ＥＬ表示素子
１０ａ    第１誘電層
１０ｂ    無機ＥＬ発光層
１０ｃ    第２誘電層
１１、１１１      カラム側電極ライン
１２、１１２      走査側電極ライン
１３、１１３      カラム側駆動用ＩＣ
１３ａ    カラム制御部
１３ｂ    カラム側ドライバ
１３ｃ、１３ｄ    ＦＥＴ
１４、１１４      走査側駆動用ＩＣ
１５、１１５      変調駆動電源回路
１６、１１６      書き込み駆動電源回路
１７、１１７      駆動制御回路
１８、１１８      電極端子
１８ａ    接続電極端子
１８ｂ    非接続電極端子
【図１】
2006259587.tif 000017
【図２】
2006259587.tif 000018
【図３】
2006259587.tif 000019
【図４】
2006259587.tif 000020
【図５】
2006259587.tif 000021
【図６】
2006259587.tif 000022
【図７】
2006259587.tif 000023
【図８】
2006259587.tif 000024
【図９】
2006259587.tif 000025
【図１０】
2006259587.tif 000026